(57)【要約】  眼科用吸引ポンプのローラーヘッド・アセンブリ（１０）は、複数のローラ（１２）と、ローラ（１２）の一端に取り付けられたベース（１４）と、ローラ（１２）の他端に取り付けられた前面板（１８）とを備えている。前面板（１８）は、チューブをローラ（１２）上へ引き寄せるために前面板（１８）に形成された少なくとも１本の溝（２０）を有する。
2010507754.tif 000002
【特許請求の範囲】
【請求項１】
眼科用吸引ポンプのローラーヘッド・アセンブリであって、
複数のローラと、
該ローラの一端に取り付けられたベースと、
前記ローラの他端に取り付けられ、かつチューブを前記ローラ上へ引き寄せるために少なくとも１条の溝が形成されている前面板と、
を備えていることを特徴とするローラーヘッド・アセンブリ。
【請求項２】
前記前面板の溝がテーパ付き二条ねじ溝を含むことを特徴とする請求項１記載のローラーヘッド・アセンブリ。
【請求項３】
眼科手術用ポンプカセットを吸引ポンプのローラーヘッド・アセンブリ上へ導く方法であって、
ベースと前面板との間に取り付けられた複数のローラを有するローラーヘッド・アセンブリをポンプ上に提供し、
前記カセットを収容するための引出しを提供し、
前記カセットを前記引出し内に装填し、かつ
たとえチューブの位置が前記ローラーヘッド・アセンブリに対してずれている場合であっても、前記前面板に形成されている溝が前記カセットのチューブを前記ローラ上へ引き寄せるように、前記ローラーヘッド・アセンブリが回転されるのにつれて前記ポンプが、前記引出しを前記ローラーヘッド・アセンブリへ向かって移動させるようにする、
諸ステップを含むことを特徴とする方法。
【請求項４】
前記前面板に、テーパ付き二条ねじ溝を形成するステップをさらに含むことを特徴とする請求項３記載の方法。
【発明の詳細な説明】
【技術分野】
【０００１】
本発明は溝付き吸引ポンプのローラーヘッド・アセンブリに関する。特に本発明は、ループ状チューブを上記ローラーヘッド・アセンブリへ引き寄せるためのねじ溝を備えた自動係合型蠕動ポンプヘッドに関するものである。
【背景技術】
【０００２】
ローラーヘッド・アセンブリ上に配置されるループ状チューブを有するポンプカートリッジを用いる蠕動ポンプは周知である。上記チューブは、その後ローラーヘッド・アセンブリのローラ間で潰される態様で伸張されたり、ローラと受け板との間で押圧されたりする。ローラーヘッド・アセンブリが回転されると、液体が手術サイトからループ状チューブを通じて蠕動的に流出する。
【０００３】
蠕動ポンプの正しい動さを保証するためには、ループ状チューブをローラーヘッド・アセンブリ上に正しく取り付けることが必要である。チューブをローラーヘッド・アセンブリ上に正しく装填することを保証するための種々の構成が知られている。これらは、フィンスターワルド(Finsterwald)への特許文献１およびザレスキー二世(Zaleski, II)への特許文献２を含む。これら二つの特許には双方共、ローラーヘッド・アセンブリの前面を超えて延びてループ状チューブと係合またはチューブを掴むノッチを用いることが記載されており、このノッチは、ローラヘッド・アセンブリが回転するにつれて、ループ状チューブをローラーヘッド・アセンブリ上へ引き寄せる。ループ状チューブがローラ上へ引き寄せられるように仕向けるために、ローラーヘッドにテーパを付ける等の他の構成も知られている。
【先行技術文献】
【特許文献】
【０００４】
【特許文献１】米国特許第４,８６１,２４２号明細書
【特許文献２】米国特許第５,５８８,８１５号明細書
【発明の概要】
【発明が解決しようとする課題】
【０００５】
これらの従来技術の構成は、それなりに効果的ではあるが、ループ状チューブがローラーヘッド・アセンブリに対して著しく位置がずれている場合であってもなお、ループ状チューブがローラーヘッド・アセンブリ上へ引き寄せられて、蠕動ポンプが動作するように正しく取り付けられるように構成された、ループ状チューブとともに信頼性をもって動作する、製作の容易なローラーヘッド・アセンブリを得ることが望まれている。
【図面の簡単な説明】
【０００６】
【図１】本発明によるポンプのローラーヘッド・アセンブリの斜視図である。
【図２】ポンプに取り付けられたカセット引出しが完全に開いた位置にある、本発明によるポンプのローラーヘッド・アセンブリの部分的斜視図である。
【図３】ポンプの引出しが半分閉じた状態を示す図２と同様の斜視図である。
【図４】ポンプの引出しが完全に閉じた状態を示す図２と同様の斜視図である。
【発明を実施するための形態】
【０００７】
図１は、本発明による眼科用吸引ポンプのローラーヘッド・アセンブリ１０を示す。このアセンブリ１０は、複数のローラ１２と、これら複数のローラ１２の一端１６に取り付けられたベース１４と、複数のローラ１２の他端に取り付けられた前面板１８とを備えている。この前面板は、ローラ１２に１本のチューブを引き込むために前面板１８の周囲に形成された少なくとも１条の溝２０を備えているのが好ましい。前面板の溝２０は、符号２２および２４において始まるテーパ付き二条ねじ溝を備えているのがより好ましい。溝２０は、少なくとも前面板１８の外周の周りで少なくとも１周するように前面板１８に形成されているのが好ましく、前面板１８の外周の周りに複数周形成される二条ねじ溝を備えているのがより好ましい。このアセンブリ１０はまた、このローラーヘッド・アセンブリ１０が回転するときの可聴ノイズの発生を軽減するために、複数のローラ１２を内部のローラーシャフトに密着させる機能を有するベルト２６を備えているのが好ましい。
【０００８】
ローラーヘッド・アセンブリ１０は、その内容全体がここに引用され、かつ本譲渡人に譲渡された「手術中のポンプヘッドまたは受け板の移動を介した換気を伴う蠕動ポンプ」と題する米国特許出願公開第２００５／００６９４１９号明細書に記載されているような蠕動ポンプに取り付けられている。使用時に、カセットの引出しが閉じるのにつれて、ローラーヘッド・アセンブリ１０が回転される。蠕動チューブがローラーヘッド・アセンブリ１０に係合するにつれて、正しい位置決めのために、溝２０の回転が上記チューブをローラ１２上へ引き寄せる役目をする。
【０００９】
正しくないチューブ装填を誘発するのにはいくつかの要因がある。これらの要因としては、チューブの長さの変動、チューブ製造時のねじれ、梱包および出荷の際のチューブの変形、および製造で誘発されるチューブの湾曲が挙げられる。もしチューブが正しく装填されていないと、一貫した蠕動ポンプ動作を行なえなくなる結果となる。これに加えて、もしチューブが不完全にローラ１２上に装填されていると、回転するポンプヘッドとチューブとの間の摩擦により微粒子が発生することが判明しており、これは手術分野では極めて望ましくない。
【００１０】
著しく変形したり、捩られたり、位置がずれたりしたループ状チューブでも、本発明のローラーヘッド・アセンブリ１０のローラ１２上へ容易かつ正しく装填されることが実験的検定を通じて判明している。本発明は溝２０を備えたものが示されているが、非対称的に配置された突起または他の構造を備えた前面板の他の実施の形態も、チューブをローラ上へ引き寄せる機能を有すると思われる。
【００１１】
吸引ポンプのローラーヘッド・アセンブリ１０上への眼科手術用ポンプカセット２８の装填は、下記の諸ステップを含む。ローラーヘッド・アセンブリ１０がポンプ３０上に提供される。ローラーヘッド・アセンブリ１０は、上述のように、ベース１４と前面板１８との間に取り付けられた複数のローラ１２を有する。
【００１２】
ポンプ３０は、カセット２８を収容するための引出し３２を備えている。カセット２８はユーザーによって引出し３２内に装填される。次にローラーヘッド・アセンブリ１０が矢示のように回転されるにつれて、ポンプ３０は引出し３２をローラーヘッド・アセンブリ１０に向かって移動させる。たとえチューブ３６がローラーヘッド・アセンブリ１０に対して位置がずれていたとしても、前面板１８に形成されている溝２０が、図２〜図４に示されているようにカセット２８のチューブ３６をローラ１２上に引き寄せる。
【００１３】
図２は、ループ状チューブ３６が著しく位置のずれた状態で引出し３２内へ装填されるカセット２８を有する蠕動ポンプ３０を示す。図３に示されているように、ポンプ３０によって引出し３２が閉じられるのにつれて、ローラーヘッド・アセンブリ１０の回転が、溝２０をしてチューブループ３６を掴ませ、かつループ状チューブ３６をローラ１２上へ引き寄せさせる。図４は、正しい動さのためにループ状チューブ３６がローラ１２上へ引き寄せられた引出し３２の閉位置を示す。
【００１４】
以上が、引出し３２が閉じられるのにつれてローラーヘッド・アセンブリ１０が回転し、溝２０を備えたローラーヘッド・アセンブリ１０が、正しい動作のためにループ状チューブ３６をローラ１２上へ引き寄せるという本発明のローラーヘッド・アセンブリ１０およびその使用方法の説明である。
【符号の説明】
【００１５】
１０  ローラーヘッド・アセンブリ
１２  ローラ
１４  ベース
１８  前面板
２０  溝
２６  ベルト
２８  カセット
３０  蠕動ポンプ
３２  引出し
３６  ループ状チューブ
【図１】
2010507754.tif 000003
【図２】
2010507754.tif 000004
【図３】
2010507754.tif 000005
【図４】
2010507754.tif 000006
【国際調査報告】
2010507754.tif 000007
2010507754.tif 000008